【手続補正書】
【提出日】平成21年10月1日(2009.10.1)
【手続補正１】
【補正対象書類名】特許請求の範囲
【補正対象項目名】全文
【補正方法】変更
【補正の内容】
【特許請求の範囲】
【請求項１】
複数の端末と、該端末から発信を受け付けるサービス提供設備とにネットワークを介して接続され、且つ、全端末からの発信接続数を制御する制御サーバであって、
タイムスロット毎に、全端末で発生した発信動作数を推定する発信動作数推定手段と、
タイムスロットＴｎの終了時に、タイムスロットＴｎ＋１で保留解除されて発生する全発信接続数が前記サービス提供設備の発信接続容量以下となるように、タイムスロットＴｎ以前の１つの制御タイムスロットについて発生した発信動作を割合値に基づいて保留解除とし、前記制御タイムスロットより前に発生した発信動作を１００％の保留解除とし、前記制御タイムスロットより後に発生した発信動作を０％の保留解除とするべく、制御タイムスロット番号及び前記割合値を導出する制御情報導出手段と、
前記制御タイムスロット番号及び前記割合値を含む制御情報を、全端末へ送信する制御情報送信手段と
を有することを特徴とする制御サーバ。
【請求項２】
前記制御情報導出手段は、
タイムスロットＴｎ以前に発生した発信動作を、タイムスロットの古い順に保留解除し、
タイムスロットＴｎ以前のタイムスロットで発生し且つ保留されている発信動作の全てを保留解除しても前記発信接続容量を超えない場合は、その発信動作の全てを保留解除すべく前記制御タイムスロット番号及び前記割合値を導出し、
タイムスロットＴｍ（ｍ＜ｎ）以前のタイムスロットで発生し且つ保留されている発信動作を保留解除した場合の前記発信接続容量の余り容量が０以上であるけれども、タイムスロットＴｍ＋１で発生し且つ保留されている発信動作数よりも前記余り容量が少ない場合に、そのタイムスロットＴｍ＋１を前記制御タイムスロットと特定し、タイムスロットＴｍ＋１について、前記保留されている発信動作数に対する、前記余り容量に収まる発信動作数の割合を前記割合値とする
ことを特徴とする請求項１に記載の制御サーバ。
【請求項３】
請求項１又は２に記載の制御サーバと通信する端末であって、
前記制御情報を受信し、前記制御タイムスロット番号及び前記割合値を取得する制御情報取得手段と、
前記制御タイムスロット番号で指定された制御タイムスロットより前に発生した発信動作を１００％の保留解除とし、前記制御タイムスロットより後に発生した発信動作を０％の保留解除とし、前記制御タイムスロットに発生した発信動作を前記割合値と当該端末の固有値との比較により保留解除する発信保留制御手段と
を有することを特徴とする端末。
【請求項４】
前記発信保留制御手段について、前記固有値は、乱数発生部によって発生させた乱数値であって、
前記固有値が前記割合値以下又は以上である場合、保留解除することを特徴とする請求項３に記載の端末。
【請求項５】
前記発信保留制御手段について、前記固有値は、前記端末に固有の識別情報値であって、
前記固有値における所定範囲の値と、前記割合値とが一致する又はしない場合、保留解除することを特徴とする請求項３に記載の端末。
【請求項６】
保留解除されたタイムスロット内における発信接続の発生を分散させるために、そのタイムスロット間隔を最大値とする遅延発信を適用するための遅延発信手段を
更に有することを特徴とする請求項３から５のいずれか１項に記載の端末。
【請求項７】
請求項１又は２に記載の制御サーバと通信する放送局サーバであって、
前記制御サーバから前記制御情報を受信し、該制御情報を放送データに付加する制御情報付加手段と、
前記放送データを前記端末へ放送する放送データ送信手段と
を有することを特徴とする放送局サーバ。
【請求項８】
複数の端末と、該端末から発信を受け付けるサービス提供設備とにネットワークを介して接続され、且つ、全端末からの発信接続数を制御する制御サーバに搭載されたコンピュータを機能させるプログラムであって、
タイムスロット毎に、全端末で発生した発信動作数を推定する発信動作数推定手段と、
タイムスロットＴｎの終了時に、タイムスロットＴｎ＋１で保留解除されて発生する全発信接続数が前記サービス提供設備の発信接続容量以下となるように、タイムスロットＴｎ以前の１つの制御タイムスロットについて発生した発信動作を割合値に基づいて保留解除とし、前記制御タイムスロットより前に発生した発信動作を１００％の保留解除とし、前記制御タイムスロットより後に発生した発信動作を０％の保留解除とするべく、制御タイムスロット番号及び前記割合値を導出する制御情報導出手段と、
前記制御タイムスロット番号及び前記割合値を含む制御情報を、全端末へ送信する制御情報送信手段と
してコンピュータを機能させることを特徴とする制御サーバ用プログラム。
【請求項９】
請求項１又は２に記載の制御サーバと通信する端末に搭載されたコンピュータを機能させるプログラムであって、
前記制御情報を受信し、前記制御タイムスロット番号及び前記割合値を取得する制御情報取得手段と、
前記制御タイムスロット番号で指定された制御タイムスロットより前に発生した発信動作を１００％の保留解除とし、前記制御タイムスロットより後に発生した発信動作を０％の保留解除とし、前記制御タイムスロットに発生した発信動作を前記割合値と当該端末の固有値との比較により保留解除する発信保留制御手段と
してコンピュータを機能させることを特徴とする端末用プログラム。
【手続補正２】
【補正対象書類名】明細書
【補正対象項目名】発明の名称
【補正方法】変更
【補正の内容】
【発明の名称】端末からの発信接続数制御サーバ、端末、放送局サーバ及びプログラム
【手続補正３】
【補正対象書類名】明細書
【補正対象項目名】００１２
【補正方法】変更
【補正の内容】
【００１２】
そこで、本発明は、発信保留制御機能を有する全端末へ１つの制御情報を送信するだけで、全端末からの発信接続数を限界接続数以下に制御することができる発信接続数制御サーバ、端末及びプログラムを提供することを目的とする。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００２８
【補正方法】変更
【補正の内容】
【００２８】
本発明の発信接続数制御サーバ、端末及びプログラムによれば、発信保留制御機能を有する全端末へ１つの制御情報を送信するだけで、端末からの発信を限界接続数以下に制御することができる。
【手続補正１１】
【補正対象書類名】明細書
【補正対象項目名】０１４５
【補正方法】変更
【補正の内容】
【０１４５】
以上、詳細に説明したように、本発明の発信接続数制御サーバ、端末及びプログラムによれば、発信保留制御機能を有する全端末へ１つの制御情報を送信するだけで、端末からの発信を限界接続数以下に制御することができる。